(57)【要約】【課題】在宅においても負担のかからない高血圧予防のための健康管理支援及び／又は高血圧治療支援システムの提供。【解決手段】高血圧予防及び／または高血圧治療に関するデータベースを情報通信ネットワークに接続された業者のサーバに備え、該データベースに予め登録された個人からアクセス可能にした高血圧予防支援及び／または高血圧治療支援システムであって、個人端末装置と、健康管理データベースサーバ（プロバイダー）と、医療機関端末装置と、健康サービス業者端末装置と、これらを相互に接続する情報通信ネットワークを備えてなることを特徴とする。【選択図】　図１
2004046613.tif 000002
【特許請求の範囲】
【請求項１】
高血圧予防及び／または高血圧治療に関するデータベースを情報通信ネットワークに接続された業者のサーバに備え、該データベースに予め登録された個人からアクセス可能にした高血圧予防支援及び／または高血圧治療支援システムであって、
個人端末装置と、健康管理データベースサーバ（プロバイダー）と、医療機関端末装置と、健康サービス業者端末装置と、これらを相互に接続する情報通信ネットワークを備えてなることを特徴とする高血圧予防支援及び／または高血圧治療支援システム。
【請求項２】
前記個人端末装置は、バイタルデータや問診データを情報通信ネットワークを介してパスワード，ユーザＩＤ番号とともに前記サーバに入力するバイタル情報入力手段，送信するバイタル情報送信手段と、前記バイタルデータや問診データに対する診断結果や助言等を情報通信ネットワークを介して前記サーバのデータベースから参照するデータベース参照手段とを有することを特徴とする請求項１に記載の高血圧予防支援及び／または高血圧治療支援システム。
【請求項３】
前記個人端末装置は、健康サービス業者の製品情報データから情報通信ネットワークを介してパスワード，ユーザＩＤ番号とともに製品情報をデータベース参照手段により索可能したことを特徴とする請求項１に記載の高血圧予防支援／及びまたは高血圧治療支援システム。
【請求項４】
高血圧予防及び／または高血圧治療に関するデータベースを情報通信ネットワークに接続された業者のサーバに備え、該データベースに予め登録された個人からアクセス可能にした高血圧予防支援及び／または高血圧治療支援システムへのアクセスのプログラムコードを備えた記憶媒体であって、
個人端末装置からバイタルデータや問診データを情報通信ネットワークを介してパスワード，ユーザＩＤ番号とともに前記サーバに入力するバイタル情報入力を入力するステップのプログラムコードと、
該入力されたバイタル情報を健康管理データベースサーバ（プロバイダー）及び／または該業者のデータベースに送信するステップのプログラムコードと、
前記バイタルデータや問診データに対する診断結果や助言等を情報通信ネットワークを介して前記サーバのデータベースから参照するステップのプログラムコードとからなることを特徴とする高血圧予防支援及び／または高血圧治療支援システムへのアクセスのプログラムコードを備えた記憶媒体。
【発明の詳細な説明】
【０００１】
【発明の属する技術分野】
本発明は、高血圧予防のための健康管理支援／高血圧治療支援システムに関する。
【０００２】
【従来の技術】
近年、高血圧等の生活習慣病等の増加等に伴う医療費の増大のために、生活習慣病の疾病予防の必要性が叫ばれている。しかしながら、医療費抑制の観点から、高血圧と診断されても直ぐに投薬による治療を行うのではなく、食事，運動などの生活改善指導を数週間行った後、第一次選択薬を処方するものである。第一次選択薬でも効果が得られない場合、第ニ次選択薬が処方されるが処方される薬剤がどのような作用機序があり、副作用、摂取食品との相互作用がどのようになるかは主治医から十分な説明がなされていない。
【０００３】
また、指導を受けた毎日の食事，運動の実践状況と併せて、毎日通院して血圧測定し、そのトレンドを確認することは非常に負担となっている。また、在宅でどのような価格のどのような測定方法の血圧計を用いて測定するのが適当か、どのような特定保健機能食品の摂取が効果があるかということを把握することが極めて困難であった。
【０００４】
【発明が解決しようとする課題】
本発明は、上記問題点に鑑みなされたものであって、在宅においても負担のかからない高血圧予防のための健康管理支援及び／又は高血圧治療支援システムを提供することを目的とする。
【０００５】
【課題を解決するための手段】
上記目的を達成するために、本発明は、高血圧予防に関するデータベースをインターネットに接続された業者のサーバに備え、このデータベースに予め登録された個人からアクセス可能にした高血圧予防支援／高血圧治療支援システムであって、個人端末装置と、健康管理データベースサーバ（プロバイダー）と、医療機関端末装置と、健康サービス業者端末装置と、これらを相互に接続する情報通信ネットワーク（インターネット）を備えてなることを特徴とする。また、個人端末装置は、バイタルデータや問診データをインターネットを介してパスワード，ユーザＩＤ番号とともにサーバに入力するバイタル情報入力手段，送信するバイタル情報送信手段と、バイタルデータや問診データに対する診断結果や助言等をインターネットを介してサーバのデータベースから参照するデータベース参照手段とを有することを特徴とする。
【０００６】
上記目的を達成するために、本発明は、また、高血圧予防及び／または高血圧治療に関するデータベースを情報通信ネットワークに接続された業者のサーバに備え、該データベースに予め登録された個人からアクセス可能にした高血圧予防支援及び／または高血圧治療支援システムへのアクセスのプログラムコードを備えた記憶媒体であって、個人端末装置からバイタルデータや問診データを情報通信ネットワークを介してパスワード，ユーザＩＤ番号とともにサーバに入力するバイタル情報入力を入力するステップのプログラムコードと、入力されたバイタル情報を健康管理データベースサーバ（プロバイダー）及び／または該業者のデータベースに送信するステップのプログラムコードと、バイタルデータや問診データに対する診断結果や助言等を情報通信ネットワークを介してサーバのデータベースから参照するステップのプログラムコードとからなることを特徴とする高血圧予防支援及び／または高血圧治療支援システムへのアクセスのプログラムコードを備えたものである。
【０００７】
【発明の実施の形態】
本発明の実施の形態について図面を参照して説明する。図１は、本発明の一実施の形態の構成を示すブロック図であり、個人端末装置１と、プロバイダー（健康管理支援データベースサーバー）２と、医療機関端末装置３ａ，３ｂと、健康サービス事業者端末装置４ａ，４ｂと、これらの端末（装置）を相互に接続する情報通信ネットワーク（ＬＡＮ，ＶＡＮ，インターネット等）　５とを備えている。なお、プロバイダー（健康管理支援データベースサーバー）２は、１つの健康サービス事業者が立ち上げ（管理）でもよいし、複数の健康サービス事業者が共同で立ち上げ（管理）でもよいし、複数の健康サービス事業者とは別の業者が立ち上げ（管理）てもよい。
【０００８】
個人端末装置１は、一般家庭等の在宅に端末装置であり、ＣＰＵ（中央制御手段）１０と、血圧，体重，体脂肪等高血圧に関連のバイタルデータや問診データ（問診の回答），パスワード，ユーザＩＤ番号等のデータを入力するバイタル情報入力段１１と、入力された情報を送信するバイタル情報送信手段１２と、シュミレーション参照手段１３と、プロバイダー（健康管理支援データベースサーバー）２のデータベースを参照できるデータベース参照手段１４、カラー液晶画面等を含む表示手段１５、プログラム等が記憶されたフレキキブルディスク，ＣＤ−ＲＯＭ等の記憶媒体１７を読取る読み取り装置である。個人端末装置１として、携帯電話に上述の機能を設けることも可能である。
【０００９】
健康管理データベースサーバ２は、例えば、プロバイダー（インターネット・サービスプロバイダー）等の業者が保有するサーバであり、予め登録された個人（利用者）の健康管理に関するデータベースの構築や運用，更新，保守等の管理を行う。健康管理データベースサーバ２は、ＣＰＵ（中央制御手段）２０と、個人（利用者）情報登録手段２１と、血圧，体重，体脂肪等高血圧に関連のバイタル情報登録手段２２と、測定結果に基づく助言登録手段２３と、管理費用算出・請求手段２４と、利用者情報データベース２００と、血圧，体重，体脂肪等高血圧に関連のバイタル情報，食事，運動等の生活習慣に基づいて血圧，体重をシュミレーションを演算するシュミレーション演算手段２５、　血圧，体重，体脂肪等高血圧に関連のバイタル情報データベース２０１（全利用者のデータベースに基づいて平均データ，健常人の平均データ等も含む）、特定保健用食品の価格，効能、血圧計の価格，測定方法，脂肪計の価格，測定方法，高血圧に処方される薬剤の種類とその作用機序，価格，副作用等の情報提供データベース２０２、食事，運動などの健康関連情報提供データベース２０３、専門医、専門病院等の医療機関情報データベース２０４とを備えている。管理費用演算手段２４は、データベースの管理費用を定期的に（例えば、一回／月）算出し、情報通信ネットワーク（ＬＡＮ，ＶＡＮ，インターネット等）５を介して登録された個人に請求する。
【００１０】
医療機関端末装置３ａ，３ｂは、ＣＰＵ３０ａ，３０ｂ、プロバイダーにある各種デーダベース２００〜２０４を参照するデータベース参照手段３１ａ，３１ｂ、必要に応じて個人端末装置１からの要求に応じて個人の血圧，体重，体脂肪等の情報に基づいて情報通信ネットワーク５を介して診断結果を送信する診断結果送信手段３２ａ，３２ｂを備えている。
【００１１】
健康サービス事業者端末装置４ａ，４ｂは、健康管理機器メーカー，健康食品メーカー，薬剤メーカーに設けられるもので、ＣＰＵ４０ａ，４０ｂ、血圧計，体重計，体脂肪計，特定保健用食品，健康医療器具、高血圧処方薬などの医療器具，医薬品添付文書と同様の内容（仕様方法，形状，構造，性能，使用目的，効能（効果），使用方法（操作）方法，用法，用量，　副作用等注意事項）の他、価格等の製品情報データベース４１ａ，４１ｂを備え、情報通信ネットワーク５を介して、個人端末装置１、医療機関端末装置３ａ，３ｂから参照可能となっている。また、データベース参照手段４２ａ，４２ｂから情報通信ネットワーク５を介して、健康管理データベースサーバ２のデータベース２００〜２０４にアクセス可能となっている。
【００１２】
図２は、それらの情報の一例を示しており、（ａ）は高血圧処方薬の情報の一例を、（ｂ）は電子血圧計の情報の一例を、（ｃ）は特定保健用食品の一例をそれぞれ示している。更に、図３に示されるように、１つの製品（薬剤）についての詳細データについても、個人端末装置１からアクセスし、全文検索機能等を用いて検索し、表示手段１５に表示可能となっている。なお、図中の商品名は、対応する各メーカーの登録商標である。図３は、特定された情報の一例として電子血圧計の情報（添付文書の全文）を示している。
【００１３】
個人端末装置１においてシュミレーション参照手段１３でプロバイダー２にアクセスし、プロバイダー２のバイタルデータベース２０１を基にシュミレーション演算手段２５で演算された等高血圧と関連のある１〜３月後の血圧，体重，体脂肪等を表示手段に１５に表示して確認できる。表示手段１５では、図４に示すように過去の血圧，体重，体脂肪をトレンド表示、血圧，　体重，体脂肪の標準値との比較表示することもできる。
【００１４】
個人端末装置１において、健康サービス事業者端末装置４ａ，４ｂへ、血圧計，体重計，体脂肪計，特定保健用食品，健康医療器具等の発注を情報通信ネットワーク５を介して行うことができるようにしてもよい。
【００１５】
【発明の効果】
本発明によれば、生活習慣病の１つである高血圧予防についての情報が容易に入手可能であるとともにシュミレートされた将来の血圧，体重，体脂肪等を容易に把握できるので、食事を始めと生活習慣の改善の支援となる。また、処方についての詳細情報が容易に得られる。
【図面の簡単な説明】
【図１】本発明の実施例のブロック図である。
【図２】本発明の実施例の情報データベースの一例を示す図である。
【図３】本発明の実施例の情報データベースのうち、１つの製品についての詳細データの一例を示す図である。
【図４】個人のトレンドの情報の記憶、表示例を示すものである。
【符号の説明】
１…個人端末装置、２…プロバイダー、３ａ，３ｂ…医療機関端末装置、４ａ，４ｂ…健康サービス業者端末装置、５…情報通信ネットワーク
【図１】
2004046613.tif 000003
【図２】
2004046613.tif 000004
【図３】
2004046613.tif 000005
【図４】
2004046613.tif 000006